(57)【要約】【課題】メンテナンスを容易にする。【解決手段】室内機１は、吸込口１３ａおよび吹出口１３ｂを有し、吸込口１３ａと吹出口１３ｂとを連通させつ主流路２が内部に設けられたケーシング１０と、ケーシング１０内の主流路２に設けられたファン２１と、ケーシング１０内において吸込口１３ａに近接して配置された防塵フィルタ３１と、防塵フィルタ３１とファン２１との間に配置される脱臭フィルタ５１とを備える。正面視において、ケーシング１０内に配置された防塵フィルタ３１の下方に挿入口１３ｄが設けられている。脱臭フィルタ５１は、防塵フィルタ３１がケーシング１０内に配置された状態で、挿入口１３ｄを介して、防塵フィルタ３１とファン２１との間に設けられた配置領域へ着脱可能となっている。【選択図】図４
2012052776.tif 000002
【特許請求の範囲】
【請求項１】
吸込口および吹出口を有し、前記吸込口と前記吹出口とを連通させる主流路が内部に設けられたケーシングと、
前記ケーシング内の前記主流路に設けられたファンと、
前記ケーシング内において前記吸込口に近接して配置された第１フィルタと、
前記第１フィルタと前記ファンとの間に配置された第２フィルタとを備え、
前記第２フィルタは、前記第１フィルタが前記ケーシング内に配置された状態で、前記第１フィルタと前記ファンとの間に着脱可能に構成されていることを特徴とする空気調和機の室内機。
【請求項２】
前記ケーシングは、前記第１フィルタと前記ファンとの間に設けられた第２フィルタ配置領域に連通する挿入口を有していることを特徴とする請求項１に記載の空気調和機の室内機。
【請求項３】
前記吸込口は、前記ケーシングの上面を含む部分に設けられており、
前記挿入口は、正面視において、前記ケーシング内に配置された第１フィルタの下方に設けられていることを特徴とする請求項２に記載の空気調和機の室内機。
【請求項４】
前記第２フィルタは、前記ケーシング内に挿入された状態において、前記第１フィルタの前面側の端部と対向した位置に配置される請求項３に記載の空気調和機の室内機。
【請求項５】
前記第１フィルタの前面側の端部は、前記ケーシング内に配置された状態において、前方且つ下方へ向かって傾斜する傾斜部となっており、
前記第２フィルタは、前記ケーシング内に挿入された状態において、前記第１フィルタの前記傾斜部と前記ファンとの間に配置されることを特徴とする請求項４に記載の空気調和機の室内機。
【請求項６】
前記第２フィルタは、下方に凸になるように湾曲した状態でケーシング内に挿入されていることを特徴とする請求項５に記載の空気調和機の室内機。
【請求項７】
活性種を生成する活性種生成装置をさらに備えており、
前記活性種生成装置から放出された空気が、前記第２フィルタを通過することを特徴とする請求項１〜６のいずれか１項に記載の空気調和機に室内機。
【請求項８】
前記活性種生成装置は、前記主流路から外れた位置に設けられており、
前記ケーシングは、前記活性種生成装置に供給される空気を吸い込むために前記吸込口と異なる位置に設けられた補助吸込口を有すると共に、
前記補助吸込口から吸い込まれた後で前記活性種生成装置から放出された空気を、前記主流路の前記第１フィルタの上流側に導く補助流路が設けられていることを特徴とする７に記載の空気調和機の室内機。
【請求項９】
前記挿入口から挿入された第２フィルタを案内するフィルタガイド機構を有していることを特徴とする請求項２〜７のいずれか１項に記載の空気調和機の室内機。
【請求項１０】
前記フィルタガイド機構は、前記挿入口から上方斜め方向に前記第２フィルタを案内することを特徴とする請求項９に記載の空気調和機の室内機。
【請求項１１】
前記フィルタガイド機構は、前記第２フィルタが下方に凸となるように案内することを特徴とする請求項１０に記載の空気調和機の室内機。
【請求項１２】
前記第２フィルタは、一方向について変形可能な板状部材であって、その変形可能な方向が前記フィルタガイド機構によって湾曲される方向と一致するように前記挿入口から挿入されることを特徴とする請求項１１に記載の空気調和機の室内機。
【請求項１３】
前記第２フィルタが、枠体に装着されていることを特徴とする請求項１〜１２のいずれか１項に記載の空気調和機の室内機。
【請求項１４】
前記第２フィルタは、脱臭フィルタであることを特徴とする請求項１〜１３のいずれか１項に記載の空気調和機の室内機。
【請求項１５】
前記第１フィルタに付着した塵埃を除去するフィルタ清掃機構をさらに有していることを特徴とする請求項１〜１４のいずれか１項に記載の空気調和機の室内機。
【発明の詳細な説明】
【技術分野】
【０００１】
本発明は、第１フィルタおよび第１フィルタの奥側に配置された第２フィルタを備えた空気調和機の室内機に関するものである。
【背景技術】
【０００２】
空気調和機の室内機としては、吸込口および吹出口を有し、吸込口と吹出口とを連通させる主流路が内部に設けられたケーシングと、ケーシング内の主流路に設けられたファンおよび熱交換器と、ケーシング内において吸込口に近接して配置された防塵フィルタとを有しているものが知られている。防塵フィルタは、通過する空気中に含まれる比較的大きな埃等を捕捉するものである。かかる室内機は、吸込口から吸い込んだ室内空気を、熱交換器との間で熱交換させることにより冷却又は加熱して室内へと返流させることで、室内空気の温度を調和する。
【０００３】
特許文献１には、防塵フィルタとファンとの間に設けられた脱臭フィルタを備えており、室内空気を脱臭する機能を有する室内機が開示されている。
【先行技術文献】
【特許文献】
【０００４】
【特許文献１】特開２００５−３４２４０８号公報
【発明の概要】
【発明が解決しようとする課題】
【０００５】
上述の特許文献１に開示されている室内機では、脱臭フィルタが、防塵フィルタの奥側に位置している。したがって、メンテナンスを行うために脱臭フィルタの着脱を行う際には、まず防塵フィルタを取り外すなどして、脱臭フィルタを露出させる必要がある。よって、脱臭フィルタの着脱作業に手間がかかり、メンテナンスが煩雑となる。
【０００６】
そこで、本発明は、上記のような課題を解決するためになされたものであり、メンテナンスを容易にできる空気調和機の室内機を提供することを目的とする。
【課題を解決するための手段】
【０００７】
第１の発明に係る空気調和機の室内機は、吸込口および吹出口を有し、前記吸込口と前記吹出口とを連通させる主流路が内部に設けられたケーシングと、前記ケーシング内の前記主流路に設けられたファンと、前記ケーシング内において前記吸込口に近接して配置された第１フィルタと、前記第１フィルタと前記ファンとの間に配置された第２フィルタとを備え、前記第２フィルタは、前記第１フィルタが前記ケーシング内に配置された状態で、前記第１フィルタと前記ファンとの間に着脱可能に構成されている。
【０００８】
この室内機では、第１フィルタをケーシング内から取り外すことなく、第２フィルタの着脱を行うことができる。したがって、第２フィルタの着脱作業の手間が軽減されるので、第２フィルタのメンテナンスを容易に行うことができる。
【０００９】
第２の発明に係る空気調和機の室内機では、第１の発明に係る室内機において、前記ケーシングは、前記第１フィルタと前記ファンとの間に設けられた第２フィルタ配置領域に連通する挿入口を有している。
【００１０】
この室内機では、挿入口を介して第２フィルタ配置領域への第２フィルタの着脱を行うことができる。
【００１１】
第３の発明に係る空気調和機の室内機では、第２の発明に係る室内機において、前記吸込口は、前記ケーシングの上面を含む部分に設けられており、前記挿入口は、正面視において、前記ケーシング内に配置された第１フィルタの下方に設けられている。
【００１２】
この室内機では、第１フィルタの奥側にある第２フィルタ配置領域に対して、室内機の前面側から第２フィルタの着脱を行うことができる。したがって、第２フィルタの着脱をさらに容易に行うことができる。
【００１３】
第４の発明に係る空気調和機の室内機では、第３の発明に係る室内機において、前記第２フィルタは、前記ケーシング内に挿入された状態において、前記第１フィルタの前面側の端部と対向した位置に配置される。
【００１４】
この室内機では、第２フィルタを挿入口の近傍で第１フィルタと対向させることができる。
【００１５】
第５の発明に係る空気調和機の室内機では、第４の発明に係る室内機において、前記第１フィルタの前面側の端部は、前記ケーシング内に配置された状態において、前方且つ下方へ向かって傾斜する傾斜部となっており、前記第２フィルタは、前記ケーシング内に挿入された状態において、前記第１フィルタの前記湾曲部と前記ファンとの間に配置される。
【００１６】
この室内機では、室内機の手前側から傾斜部の奥に第２フィルタを容易に配置できる。
【００１７】
第６の発明に係る空気調和機の室内機では、第５の発明に係る室内機において、前記第２フィルタは、下方に凸になるように湾曲した状態でケーシング内に挿入されている
【００１８】
この室内機では、第１ファイルタの傾斜部と第２フィルタを確実に対向させることができる。
【００１９】
第７の発明に係る空気調和機の室内機は、第１〜第６のいずれかの発明に係る室内機において、活性種を生成する活性種生成装置をさらに備えており、前記活性種生成装置から放出された空気が、前記第２フィルタを通過する。
【００２０】
この室内機では、第２フィルタに活性種を含んだ空気を通過させることができる。したがって、活性種によって、第２フィルタに付着している有害成分や臭気成分を分解できる。
【００２１】
第８の発明に係る空気調和機の室内機では、第７の発明に係る室内機において、前記活性種生成装置は、前記主流路から外れた位置に設けられており、前記ケーシングは、前記活性種生成装置に供給される空気を吸い込むために前記吸込口と異なる位置に設けられた補助吸込口を有すると共に、前記補助吸込口から吸い込まれた後で前記活性種生成装置から放出された空気を、前記主流路の前記第１フィルタの上流側に導く補助流路が設けられている。
【００２２】
この室内機では、活性種生成装置が主流路に設けられる場合と比べて、活性種生成装置によって主流路における通風抵抗が増加するのを防ぐことができる。したがって、室内機の性能の低下を抑制できる。
【００２３】
第９の発明に係る空気調和機の室内機では、第２〜第７のいずれかの発明に係る室内機において、前記挿入口から挿入された第２フィルタを案内するフィルタガイド機構を有している。
【００２４】
この室内機では、フィルタガイド機構によって、第２フィルタを適切な配置位置に案内できる。
【００２５】
第１０の発明に係る空気調和機の室内機では、第９の発明に係る室内機において、前記フィルタガイド機構は、前記挿入口から上方斜め方向に前記第２フィルタを案内する。
【００２６】
この室内機では、第２フィルタを第１フィルタの裏面に近づけて配置できる。
【００２７】
第１１の発明に係る空気調和機の室内機では、第１０の発明に係る室内機において、前記フィルタガイド機構は、前記第２フィルタが下方に凸となるように案内する。
【００２８】
この室内機では、挿入口よりも上方斜め方向に位置する第２フィルタ配置領域への第２フィルタの着脱を容易にできる。
【００２９】
第１２の発明に係る空気調和機の室内機では、第１１の発明に係る室内機において、前記第２フィルタは、一方向について変形可能な板状部材であって、その変形可能な方向が前記フィルタガイド機構によって湾曲される方向と一致するように前記挿入口から挿入される。
【００３０】
この室内機では、第２フィルタをフィルタガイド機構によって確実に湾曲させることができる。
【００３１】
第１３の発明に係る空気調和機の室内機では、第１〜第１２のいずれかの発明に係る室内機において、前記第２フィルタが、枠体に装着されている。
【００３２】
この室内機では、第２フィルタの損傷を防ぐことができる。
【００３３】
第１４の発明に係る空気調和機の室内機では、第１〜第１３のいずれかの発明に係る室内機において、前記第２フィルタは、脱臭フィルタである。
【００３４】
この室内機では、脱臭機能を発揮できる。
【００３５】
第１５の発明に係る空気調和機の室内機は、第１〜第１４のいずれかの発明に係る室内機において、前記第１フィルタに付着した塵埃を除去するフィルタ清掃機構をさらに有している。
【００３６】
この室内機では、第１フィルタをケーシングから取り外してメンテナンスを行う必要はほとんどない。このような室内機において、第１フィルタをケーシングから取り外すことなく第２フィルタを着脱可能な構成とするのは効果的である。
【発明の効果】
【００３７】
以上の説明に述べたように、本発明によれば、以下の効果が得られる。
【００３８】
第１の発明では、第１フィルタをケーシング内から取り外すことなく、第２フィルタの着脱を行うことができる。したがって、第２フィルタの着脱作業の手間が軽減されるので、第２フィルタのメンテナンスを容易に行うことができる。
【００３９】
第２の発明では、挿入口を介して第２フィルタ配置領域への第２フィルタの着脱を行うことができる。
【００４０】
第３の発明では、第１フィルタの奥側にある第２フィルタ配置領域に対して、室内機の前面側から第２フィルタの着脱を行うことができる。したがって、第２フィルタの着脱をさらに容易に行うことができる。
【００４１】
第４の発明では、第２フィルタを挿入口の近傍で第１フィルタと対向させることができる。
【００４２】
第５の発明では、室内機の手前側から傾斜部の奥に第２フィルタを容易に配置できる。
【００４３】
第６の発明では、第１ファイルタの傾斜部と第２フィルタを確実に対向させることができる。
【００４４】
第７の発明では、第２フィルタに活性種を含んだ空気を通過させることができる。したがって、活性種によって、第２フィルタに付着している有害成分や臭気成分を分解できる。
【００４５】
第８の発明では、活性種生成装置が主流路に設けられる場合と比べて、活性種生成装置によって主流路における通風抵抗が増加するのを防ぐことができる。したがって、室内機の性能の低下を抑制できる。
【００４６】
第９の発明では、フィルタガイド機構によって、第２フィルタを適切な配置位置に案内できる。
【００４７】
第１０の発明では、第２フィルタを第１フィルタの裏面に近づけて配置できる。
【００４８】
第１１の発明では、挿入口よりも上方斜め方向に位置する第２フィルタ配置領域への第２フィルタの着脱を容易にできる。
【００４９】
第１２の発明では、第２フィルタをフィルタガイド機構によって確実に湾曲させることができる。
【００５０】
第１３の発明では、第２フィルタの損傷を防ぐことができる。
【００５１】
第１４の発明では、脱臭機能を発揮できる。
【００５２】
第１５の発明では、第１フィルタをケーシングから取り外してメンテナンスを行う必要はほとんどない。このような室内機において、第１フィルタをケーシングから取り外すことなく第２フィルタを着脱可能な構成とするのは効果的である。
【図面の簡単な説明】
【００５３】
【図１】本発明の実施形態に係る室内機の斜視図である。
【図２】前面パネルが開いた状態の室内機の斜視図である。
【図３】室内機を略前方から視た斜視図である。
【図４】図３のＡ−Ａ線に沿った断面図である。
【図５】前面パネルと２つの脱臭フィルタユニットのうちの一方を取り外した状態の室内機の斜視図である。
【図６】前面パネルと清掃ユニットと防塵フィルタユニットとを取り外した状態の室内機の斜視図である。
【図７】グリルの分解斜視図である。
【図８】図３のＢ−Ｂ線に沿った部分拡大断面である。
【図９】図３のＣ−Ｃ線に沿った部分拡大断面である。
【図１０】図３のＤ−Ｄ線に沿った部分拡大断面である。
【図１１】（ａ）フィルタガイド部材の正面図であり、（ｂ）は（ａ）Ｅ−Ｅ線に沿った断面図である。
【図１２】脱臭フィルタを示す図であり、（ａ）は平面図であり、（ｂ）は（ａ）の部分拡大図である。
【図１３】フレームを示す図であり、（ａ）は平面図であり、（ｂ）は正面図であり、（ｃ）は（ａ）のＦ−Ｆ線に沿った断面図である。
【図１４】脱臭フィルタユニットを装着する手順を説明するための図である。
【図１５】（ａ）はストリーマ放電ユニット（活性種生成装置）の一部を示す図であり、（ｂ）は（ａ）を下方から視た図であり、（ｃ）は（ａ）のＧ−Ｇ線に沿った断面図であり、（ｄ）は（ａ）のＨ−Ｈ線に沿った断面図である。
【発明を実施するための形態】
【００５４】
以下、本発明の実施形態に係る空気調和機の室内機１について説明する。
【００５５】
＜室内機１の概略構成＞
図１に示すように、本実施形態の室内機１は、全体として一方向に細長い形状を有しており、その長手方向が水平となるように室内の壁面に据え付けられるものである。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、図１に示す左右方向を単に「左右方向」と称する。
【００５６】
図２および図４に示すように、室内機１は、グリル１１とグリル１１に対して開閉可能に設けられる前面パネル１２とからなるケーシング１０と、ケーシング１０内に収容される本体部２０、２つの防塵フィルタユニット３０、清掃ユニット（フィルタ清掃機構）４０、２つの脱臭フィルタユニット５０、およびストリーマ放電ユニット６０を備えている。本体部２０は、内部にファン２１と熱交換器２２とを収容するとともに、電装品ユニット２３およびフィルタガイド部材２４を備えている。また、図４および図９に示すように、室内機１は、ケーシング１０に形成された吸込口１３ａと吹出口１３ｂとを連通させる主流路２と、ケーシング１０に形成された補助吸込口３から吸い込まれた空気を主流路２に導く補助流路４（４ａ〜４ｅ）（図４、図８参照）を有している。なお、図３に示す矢印は、補助流路４の空気の流れを示している。
【００５７】
この室内機１においては、ファン２１の駆動により、吸込口１３ａと補助吸込口３とから室内の空気がケーシング１０内に吸い込まれる。吸込口１３ａから吸い込まれた空気は、防塵フィルタユニット３０を通過した後、直接または脱臭フィルタユニット５０を通過してから、熱交換器２２とファン２１とを通過して、ケーシング１０の下部に形成された吹出口１３ｂから室内に吹き出される（図４参照）。また、補助吸込口３からケーシング１０内に吸い込まれた空気は、ストリーマ放電ユニット６０を通過した後（図３の矢印参照）、防塵フィルタユニット３０と脱臭フィルタユニット５０と熱交換器２２とファン２１とを順に通過して吹出口１３ｂから室内に吹き出される（図４参照）。
【００５８】
＜室内機１の構成要素＞
［ケーシング１０］
図４等に示すように、ケーシング１０は、後方が開口した略直方体状の箱状に形成されたグリル１１と、グリル１１の前面を覆う前面パネル１２とから構成されている。
【００５９】
（グリル１１）
グリル１１は、本体部２０を覆うように、本体部２０に取り付けられている。図７に示すように、グリル１１は、グリル本体１３と、飾り板１４と、取付部６３と、蓋部６６とを有する。取付部６３および蓋部６６は、ストリーマ放電ユニット６０の一部を兼ねている。
【００６０】
図４および図５等に示すように、グリル本体１３の天井部には、吸込口１３ａが形成されている。図４および図７等に示すように、グリル本体１３の下部には、吹出口１３ｂが形成されている。吹出口１３ｂは、左右方向に長い矩形状の開口である。
【００６１】
図４および図７等に示すように、グリル本体１３は、前面の上側略半分に、開口部１３ｃを有している。この開口部１３ｃの内側には、防塵フィルタユニット３０の前端部と清掃ユニット４０とが配置されている。また、開口部１３ｃの下方には、左右方向に細長い矩形状の２つの挿入口１３ｄが、左右に並んで形成されている。挿入口１３ｄは、後で詳述する脱臭フィルタ５１の配置領域に連通しており、図５等に示すように、この挿入口１３ｄから脱臭フィルタ５１を備えた脱臭フィルタユニット５０が本体部２０内に挿入されている。さらに、図４に示すように、挿入口１３ｄの下縁から後方に延びる伸延部１３ｆが形成されている。
【００６２】
図７等に示すように、２つの挿入口１３ｄの下方には、収容部１３ｅと凹部６５が左右に並んで形成されている。収容部１３ｅは、室内機１の長手方向の中央より左側に形成されており、凹部６５は、室内機１の長手方向のほぼ中央に形成されている。図８等に示すように、収容部１３ｅ内には取付部６３が配置され、この取付部６３内にはストリーマ放電ユニット６０のストリーマ放電部６１が配置されている。また、凹部６５の前側には、凹部６５を覆うように蓋部６６が配置されている。
【００６３】
飾り板１４は、グリル本体１３において左右に並んで形成された収容部１３ｅと凹部６５との下方に取り付けられる。図４に示すように、飾り板１４は、グリル本体１３の下面の前側部分に位置している。
【００６４】
図３に示すように、グリル本体１３の前面の下端部には、４つのフック係合部１８ａ、１８ｂ、１８ｃ、１８ｄが略左右方向に並んで形成されている。フック係合部１８ａ、１８ｂ、１８ｄは、それぞれ、グリル本体１３の前面の下端部において、左端、左右方向の略中央、右端に形成されている。フック係合部１８ｃは、フック係合部１８ｂとフック係合部１８ｄとの略中央に形成されている。そのため、ストリーマ放電部６１を挟んで隣接するフック係合部１８ａ、１８ｂの離間距離は、フック係合部１８ｂ、１８ｃの離間距離、および、フック係合部１８ｃ、１８ｄの離間距離のいずれよりも大きい。
【００６５】
図９に示すように、フック係合部１８ａには、前面パネル１２の裏面に形成されたフック１２ａが係合されている。フック係合部１８ｂ、１８ｄは、フック係合部１８ａとほぼ同様の形状であって、前面パネル１２のフック１２ｂ、１２ｄが係合されている。また、図１０に示すように、フック係合部１８ｃには、前面パネル１２のフック１２ｃが係合されている。このように、フック係合部１８ａ〜１８ｄは、それぞれ、フック１２ａ〜１２ｄと対をなして、前面パネル１２が閉状態のときに、前面パネル１２を閉状態に保持する。
【００６６】
（前面パネル１２）
図２に示すように、前面パネル１２は、グリル１１の前側に配置され、その左右両端の上端部が、グリル１１に対して回転可能に取り付けられている。これにより、前面パネル１２は、グリル１１に対して開閉可能となっている。前面パネル１２の裏面の下端部には、４つのフック１２ａ〜１２ｄが形成されている。３つのフック１２ａ、１２ｂ、１２ｄは、互いにほぼ同じ形状である（図９のフック１２ａ参照）。図１０に示すように、フック１２ｃは、前面パネル１２が閉状態のときに、グリル１１のフック係合部１８ｃと係合すると共に、その先端部によって本体部２０に設けられた揺動アーム２６を下方に押圧している。
【００６７】
図４および図８に示すように、前面パネル１２の下端部は、グリル１１（詳細には飾り板１４）の前面に密着しておらず、両者の間には隙間が形成されている。この隙間のうち、ストリーマ放電部６１の下方の部分（図８に表れている部分）が、補助吸込口３を構成している。また、前面パネル１２は、プラスチックで形成されており、そのため、フック１２ａ〜１２ｄとフック係合部１８ａ〜１８ｄとが係合した状態では、隣接する２つのフック間において前方に膨らむように若干たわむ。補助吸込口３を挟んで隣接するフック１２ａ、１２ｂの離間距離は、フック１２ｂ、１２ｃの離間距離、および、フック１２ｃ、１２ｄの離間距離のいずれよりも大きいため、前面パネル１２において補助吸込口３を構成する部分のたわみ量は、前面パネル１２の下端部の他の部分よりも大きい。したがって、補助吸込口３は、前面パネル１２の下端部とグリル１１の前面との隙間のうち補助吸込口３に対応しない部分よりも広くなっている。
【００６８】
また、図４に示すように、前面パネル１２の裏面とこれに対向する面（グリル１１の前面、脱臭フィルタユニット５０の前面、および清掃ユニット４０の前面）との間には、隙間が形成されている。この隙間の一部が、補助流路４の一部を構成している。具体的には、図８に示すように、グリル１１の前面のうち収容部１３ｅの下方の部分と、前面パネル１２の裏面との隙間が、第１流路４ａを構成している。また、図４に示すように、蓋部６６（活性種放出部６２）の前面、２つの脱臭フィルタユニット５０の前面のうち蓋部６６の上方の部分、および、清掃ユニット４０の前面のうち蓋部６６の上方の部分と、前面パネル１２の裏面との隙間が、第５流路４ｅを構成している。
【００６９】
［本体部２０］
図４に示すように、本体部２０には、グリル１１に形成された吸込口１３ａと吹出口１３ｂとを連通させる主流路２が形成されている。主流路２の吹出口１３ｂ近傍には、水平羽根２０ｂが設けられている。水平羽根２０ｂは、吹出口１３ｂから吹き出される空気流の上下方向の風向きを変更すると共に、吹出口１３ｂの開閉を行う。
【００７０】
主流路２にはファン２１と熱交換器２２が配置されている。ファン２１は、軸流ファン２１と呼ばれるものであって、その軸方向が左右方向に沿うように配置されている。ファン２１は、上前方の空気を吸い込んで、下後方に吹き出すようになっている。熱交換器２２は、ファン２１の上方と前方を取り囲むように配置されている。
【００７１】
また、本体部２０は、その下部の前側部分に、電装品ユニット２３を備えている。より詳細には、電装品ユニット２３は、グリル本体１３に形成された凹部６５の後方であって、収容部１３ｅ内に配置された取付部６３の右方に配置されている。
【００７２】
図１０に示すように、電装品ユニット２３は、グリル１１のフック係合部１８ｃの後方に、リミットスイッチ２５と揺動アーム２６とを有している。リミットスイッチ２５は、ストリーマ放電部６１に電力を供給するための回路を連通状態と遮断状態とに切り換えるものであって、レバー２５ａが上方に押圧された場合にのみ、上記回路を連通状態とする。揺動アーム２６は、左右方向に沿った軸回りに揺動可能に配置されている。前面パネル１２が閉じた状態では、揺動アーム２６の前端はフック１２ｃの先端によって下方に押圧され、これにより、レバー２５ａは揺動アーム２６の後端で上方に押圧されている。一方、前面パネル１２が開いた状態では、フック１２ｃは揺動アーム２６を押圧しない。よって、このとき、レバー２５ａが上方に押圧されることがない。したがって、前面パネル１２が開いているときには、ストリーマ放電部６１に電流が流れないようになっているため、使用者は前面パネル１２を開いてメンテナンス等の作業を安全に行うことができる。
【００７３】
また、本体部２０は、挿入口１３ｄから挿入された脱臭フィルタユニット５０を案内するフィルタガイド部材２４を備えている。図１１に示すように、フィルタガイド部材２４は、左右方向に延在する基部２４ａと、基部２４ａに設けられたガイド部２４ｂとを有している。
【００７４】
基部２４ａは、図１１（ｂ）に示すように、その長手方向と直交する方向に関して垂直に折り曲げられた板状部材である。基部２４ａにおいて、折れ曲がり部分から前方に向かって延びる部分は上壁２４ｃであり、折れ曲がり部分から下方に向かって延びる部分は後壁２４ｄである。上壁２４ｃは、前方斜め下方向に若干傾斜している。図４および図８に示すように、基部２４ａは、その上壁２４ｃが収容部１３ｅ内に配置された取付部６３や電装品ユニット２３の上方に位置し、後壁２４ｄが取付部６３や電装品ユニット２３の後方に位置するように配置されている。
【００７５】
図４に示すように、基部２４ａの上壁２４ｃの前方には、グリル本体１３の伸延部１３ｆが配置されている。フィルタガイド部材２４とグリル本体１３の伸延部１３ｆとは、本発明のフィルタガイド機構を構成している。上壁２４ｃの上面と伸延部１３ｆの上面とは、ほぼ同一の平面内に位置している。だたし、伸延部１３ｆの後端部は下方に屈曲しており、上壁２４ｃの上面と伸延部１３ｆの上面とで構成される面に窪み１３ｇを形成している。
【００７６】
ガイド部２４ｂは、脱臭フィルタユニット５０の左右両端部をそれぞれ案内する２つで一対となっている。ガイド部２４ｂは、２つの脱臭フィルタユニット５０を案内できるように、左右に二対並んで設けられている。より詳細には、ガイド部２４ｂは、脱臭フィルタユニット５０の左右両端を案内する側板２４ｅと、脱臭フィルタユニット５０の左右両端部の下面を案内する下板２４ｆと、脱臭フィルタユニット５０の上面と対向する上板２４ｇとを有している。側板２４ｅは、基部２４ａの上壁２４ｃに設けられており、基部２４ａの伸延方向（左右方向）と直交する方向に平行な面を有する板状部材である。図１１（ｂ）に示すように、下板２４ｆは、基部２４ａの上壁２４ｃの後端部から後上方に向かって斜めに延びている。上板２４ｇは、下板２４ｆの上方に位置しており、下方に凸となるように湾曲している。
【００７７】
図４に示すように、挿入口１３ｄ内に脱臭フィルタユニット５０が装着され、脱臭フィルタユニット５０に備えられた脱臭フィルタ５１が所定の配置領域に配置されたとき、脱臭フィルタユニット５０の後端部近傍は、下板２４ｆと上板２４ｇの後端部によって挟まれた状態となる。これによって、脱臭フィルタ５１は、所定の配置領域に確実に保持される。
【００７８】
図６に示すように、フィルタガイド部材２４は、左右に並んだ二対のガイド部２４ｂの間が、室内機１の中央に位置するように、設けられている。
【００７９】
［防塵フィルタユニット３０］
図４および図５に示すように、２つの防塵フィルタユニット３０は、グリル１１内の吸込口１３ａに近接する位置に左右に並んで配置されている。防塵フィルタユニット３０は、前面パネル１２を開いた状態で、開口部１３ｃから本体部２０内に挿脱可能となっている。
【００８０】
防塵フィルタユニット３０は、防塵フィルタ３１（第１フィルタ）と、フレーム３２とから構成されている。防塵フィルタ３１は、通過する空気中に含まれる比較的大きな埃等を捕捉するためのものであって、合成樹脂製の網で構成されている。防塵フィルタ３１は、環状に形成されており、フレーム３２は、この環状の防塵フィルタ３１を内側から保持するように構成されている。フレーム３２は、防塵フィルタ３１の前端部を下斜め方向に傾斜させるように形成されている。即ち、図４に示すように、防塵フィルタ３１の前端部は、前方且つ下方に向かって傾斜した傾斜部３１ａとなっている。また、フレーム３２は、防塵フィルタ３１の内側の前端に配置されたピニオン３２ａを有する。このピニオン３２ａは、本体部２０に設けられたモータ（図示省略）によって回転駆動される。
【００８１】
［清掃ユニット４０］
清掃ユニット４０は、防塵フィルタ３１を掃除するためのものである。図４に示すように、清掃ユニット４０は、防塵フィルタ３１の前端部の下方に配置されており、前面パネル１２を開いた状態で、開口部１３ｃからグリル１１および本体部２０に対して着脱可能となっている。清掃ユニット４０は、左右方向に延在する回転ブラシ４１と、回転ブラシ４１についた埃を掻き出すための櫛４２と、この櫛４２の前方に近接して設けられ、左右方向に延在して回転する圧縮ローラ４３と、圧縮ローラ４３と櫛４２との間で圧縮された埃が収納されるダストボックス４４とを備えている。
【００８２】
防塵フィルタユニット３０のピニオン３２ａを回転させると、防塵フィルタ３１は、清掃ユニット４０の回転ブラシ４１に表面が当接した状態で回転する。これにより、防塵フィルタ３１に付着した埃等は、回転ブラシ４１により取り除かれる。取り除かれた埃等は、圧縮ローラ４３により圧縮されてダストボックス４４に収納される。
【００８３】
［脱臭フィルタユニット５０］
図４に示すように、脱臭フィルタユニット５０は、脱臭フィルタ５１（第２フィルタ）と、フレーム５２とから構成されている。脱臭フィルタユニット５０は、前面パネル１２を開いた状態で、挿入口１３ｄから本体部２０内に挿入されている。脱臭フィルタ５１の配置領域は、防塵フィルタ３１の前端部に形成された傾斜部３１ａとファン２１を取り囲むように配置された熱交換器２２との間に設けられている。脱臭フィルタ５１は、防塵フィルタ３１の傾斜部３１ａと対向するように、上述の配置領域に配置される。図３に示すように、脱臭フィルタユニット５０の左右方向に沿う長さＬ１は、防塵フィルタユニット３０の左右方向に沿う長さＬ２に比べて短い。
【００８４】
脱臭フィルタ５１は、図１２（ａ）に示すように、略矩形形状の板状部材である。また、図１２（ｂ）に示すように、脱臭フィルタ５１は、複数の平板状のライナー板５１ａと、複数のコルゲート板５１ｂとが交互に接着されたハニカム構造を有する積層体であって、その表面に吸着剤とプラズマ触媒とを担持させたものである。吸着剤は、空気中の臭気成分や有害成分を吸着するものであって、具体的には、ゼオライトや活性炭が用いられる。プラズマ触媒は、ストリーマ放電部６１で生成した活性種を活性化させて、有害成分や臭気成分の分解を促進させるものであって、具体的には、マンガン系触媒や貴金属系触媒などが用いられる。
【００８５】
複数のライナー板５１ａは、いずれも左右方向に延びており、互いに所定間隔（例えば３ｍｍ〜５ｍｍ程度）を隔てて平行に配置されている。また、コルゲート板５１ｂは、
隣り合う２つのライナー板の間において、例えば３ｍｍ〜５ｍｍ程度のピッチの波打ち形状を有している。そして、図１２（ｂ）に示すように、脱臭フィルタ５１には、ライナー板５１ａと１ピッチ分のコルゲート板５１ｂとによって形成された孔であって、脱臭フィルタ５１の厚み方向に貫通する通風孔５１ｃが多数形成されている。このような構造を有する脱臭フィルタ５１は、ライナー板５１ａの伸延方向と直交する方向（図１２（ａ）中上下方向）については変形可能である。
【００８６】
フレーム５２は、図１３に示すように、略矩形の平板状である基部５２ａと、脱臭フィルタ５１を保持する保持部５２ｂと、係止爪５２ｃと、基部５２ａの前面に形成された取手５２ｄとを有している。図１３（ａ）に示すように、基部５２ａには、図中左右方向および上下方向にそれぞれ３つずつ、合計９個の略矩形状の開口５２ｅが形成されている。換言すると、基部５２ａは、９個の開口５２ｅが形成されるように、格子状に形成されている。なお、図１３（ａ）、（ｃ）においては、下方から上方に向かう方向、図１３（ｂ）においては、紙面手前側から奥側に向かう方向が、本体部２０内への挿入方向である。また、脱臭フィルタ５１は、基部５２ａの上面側であって、９個の開口５２ｅのうち、挿入方向奥側に位置する６個の開口に跨って対向する領域（図１３（ａ）、（ｃ）中破線で囲まれた領域）に装着される。脱臭フィルタ５１は、その変形可能な方向、即ち、ライナー板５１ａの伸延方向と直交する方向が挿入方向と一致するように、フレーム５２に装着される。
【００８７】
保持部５２ｂは、脱臭フィルタ５１の装着領域の周囲に８個配置されており、脱臭フィルタ５１の縁部を保持する。各保持部５２ｂは、基部５２ａの上面側から突出するように設けられている。保持部５２ｂの突出方向の端部は、脱臭フィルタ５１の装着領域内に向かって直角に折り曲げられており、この折り曲げられた部分と基部５２ａとの間で脱臭フィルタ５１の縁部を挟み込んで保持する。
【００８８】
係止爪５２ｃは、挿入方向手前側に位置する３つの開口５２ｅにおける挿入方向手前側の縁の中央部にそれぞれ設けられている。各係止爪５２ｃは、挿入方向奥側に向かって延びており、図１３（ｃ）に示すように、その挿入方向奥側の端部における下面に突起が形成されている。この突起は、上述のように、フィルタガイド部材２４における基部２４ａの上壁の上面とグリル本体１３における伸延部１３ｆの上面とで構成される面に形成された窪み１３ｇと係合する。
【００８９】
［ストリーマ放電ユニット６０］
図４等に示すように、ストリーマ放電ユニット６０は、主流路２から外れた位置に、前面パネル１２の裏面と対向するように配置されている。ストリーマ放電ユニット６０は、ストリーマ放電部（活性種生成装置）６１と、活性種放出部６２と、取付部６３と、補助防塵フィルタ６４とを有している。
【００９０】
（取付部６３および補助防塵フィルタ６４）
上述したように、取付部６３は、グリル１１の構成部品の１つであって、グリル本体１３に形成された収容部１３ｅ内に配置されている。収容部１３ｅは、後方に凹んだ形状に形成されている。取付部６３は、前方が開口した略直方体状の箱状に形成されている。この取付部６３内には、ストリーマ放電部６１が着脱可能に配置されている。図８および図１５等に示すように、取付部６３の下壁６３ａには、補助吸込口３から吸い込まれた空気をストリーマ放電部６１に流入させるための流入口６３ｂが形成されている。図１５に示すように、取付部６３の右壁６３ｃの前端部には、矩形状の切欠部６３ｄが形成されている。この切欠部６３ｄは、ストリーマ放電部６１内の空気を流出させる流出口となっている。
【００９１】
図８および図１５等に示すように、取付部６３は、流入口６３ｂの左右両端部の前方に、前面パネル１２とほぼ直交する方向に延在する２つのガイドレール６３ｇを有する。このガイドレール６３ｇと取付部６３の下壁６３ａとの間に、矩形板状であって、防塵フィルタ３１と同様の合成樹脂製の網を有する補助防塵フィルタ６４が保持されている。つまり、補助防塵フィルタ６４は、流入口６３ｂの前に配置されている。補助防塵フィルタ６４は、ストリーマ放電部６１が取付部６３から取り外された状態において、取付部６３に着脱可能となっている。また、図８に示すように、この補助防塵フィルタ６４と収容部１３ｅの下壁との間には隙間（第２流路）４ｂが形成されている。第２流路４ｂは、補助流路４の一部を構成している。
【００９２】
（ストリーマ放電部６１）
図８に示すように、ストリーマ放電部６１は、絶縁性合成樹脂で形成された筐体部７１および蓋部７２と、筐体部７１と蓋部７２で囲まれた空間内に配置される放電電極板８１、放電針８２および対向電極板８５とを有している。
【００９３】
図８に示すように、筐体部７１は、前方が開口した直方体状の略箱状に形成されている。筐体部７１の前方の開口は、略矩形状に形成された蓋部７２で覆われている。筐体部７１内の空間（第３流路）４ｃは、補助流路４の一部を構成している。
【００９４】
筐体部７１の下壁７１ａには、補助吸込口３から吸い込まれた空気を筐体部７１内に流入させる流入口７１ｂが形成されている。筐体部７１の右壁の前端部には、図示しない切欠部が形成されている。この切欠部は、ストリーマ放電部６１が取付部６３に取り付けられた状態で、取付部６３に形成された切欠部６３ｄと対向しており、筐体部７１内の空気を流出させる流出口となっている。
【００９５】
図８に示すように、放電電極板８１は、筐体部７１の後壁７１ｅと平行（前面パネル１２と平行）であって、左右方向に延在している。放電電極板８１には、前方に向かって突出する放電針保持部８１ｂが形成されている。放電針保持部８１ｂの前端部は折り返されており、この折り返し部分に放電針８２が挟み込まれている。放電針８２は、線径が例えば０．２ｍｍのタングステン線で構成されている。対向電極板８５は、放電電極板８１の前方に、放電電極板８１と平行に配置されている。
【００９６】
放電電極板８１は、電装品ユニット２３のリミットスイッチ２５を介して電源部（図示省略）の正極側に接続された図示しない接続板と電気的に接続される。また、対向電極板８５は、電源部の負極側（アース側）に接続された図示しない接続板と電気的に接続される。
【００９７】
ストリーマ放電部６１においては、放電針８２に電圧が印加されると、放電針８２の両端から対向電極板８５に向かってストリーマ放電が発生し、これにより、低温プラズマが生成される。この低温プラズマによって、高速電子、イオン、水酸化ラジカル、励起酸素分子などの活性種が生成される。これらの活性種は、アンモニア類や、アルデヒド類、窒素酸化物等の小さな有機分子からなる空気中の有害成分や臭気成分を分解する能力を有する。
【００９８】
（活性種放出部６２）
図４に示すように、活性種放出部６２は、凹部６５とこの凹部６５を覆う蓋部６６とから構成されており、吸込口１３ａの長手方向の中央に対して両側にわたって形成されている。図７に示すように、凹部６５は、前側と左側とが開口した略直方体状の箱状に形成されている。凹部６５内の空間（第４流路４ｄ）は、補助流路４の一部を構成している。凹部６５の左側の開口は、ストリーマ放電部６１の切欠部から（取付部６３の切欠部６３ｄを介して）流出した空気を凹部６５内に供給する供給口６５ａとなっている。また、凹部６５の左右方向略中央の下部にはフック係合部１８ｂが設けられており、凹部６５はこのフック係合部１８ｂを取り囲むように形成されている。凹部６５は、その奥行き（グリル１１の前面に直交する方向の長さ）が収容部１３ｅよりも短く、その幅（前面パネル１２に沿った略上下方向長さ）は収容部１３ｅより若干大きい。
【００９９】
蓋部６６は、左右方向に細長い略矩形状の板部材である。蓋部６６には、複数の円形孔６６ａが形成されている。この複数の円形孔６６ａが、凹部６５内の空気を放出させる放出口となっている。複数の円形孔６６ａの全開口面積は、供給口６５ａの開口面積よりも大きい。複数の円形孔６６ａは、全て同じ大きさであって、フック係合部１８ｂが設けられている範囲を除いて上下方向および左右方向に等間隔に均等に配置されている。
【０１００】
＜補助流路４＞
補助流路４は、前面パネル１２の裏面とグリル１１との隙間で構成される第１流路４ａと（図８参照）、収容部１３ｅの内壁と補助防塵フィルタ６４との隙間で構成される第２流路４ｂ（図８参照）と、ストリーマ放電部６１内の第３流路４ｃ（図８参照）と、活性種放出部６２内の第４流路４ｄ（図４参照）と、活性種放出部６２の前面およびその上側の面と前面パネル１２の裏面との隙間で構成される第５流路４ｅ（図４参照）で構成されている。補助吸込口３から吸い込まれた空気は、第１流路４ａ、第２流路４ｂ、第３流路４ｃ、第４流路４ｄ、第５流路４ｅを順に通って、主流路２における防塵フィルタ３１の上流側に送られる（図３に矢印で示す空気の流れ参照）。なお、より詳細には、図４に示すように、補助流路４によって導かれた空気は、防塵フィルタ３１における傾斜部３１ａを通過する。
【０１０１】
＜脱臭フィルタユニット５０の着脱手順＞
まず、図１４を参照しつつ、脱臭フィルタユニット５０の装着手順について説明する。
最初に、前面パネル１２を開いてグリル１１の前面を露出させる。そして、開口部１３ｃ内に配置された防塵フィルタユニット３０および清掃ユニット４０の下方に設けられた挿入口１３ｄから、脱臭フィルタユニット５０を挿入する。図１４（ａ）に示すように、脱臭フィルタユニット５０の奥側端部（取手５２ｄが設けられている側とは反対側の端部）から挿入口１３ｄの内側へ挿入する。このとき、脱臭フィルタユニット５０は、その下面が、グリル本体１３における伸延部１３ｆの上面と、フィルタガイド部材２４における基部２４ａの上壁２４ｃの上面とに当接し、これらの面に平行な方向に挿入される。
【０１０２】
そして、脱臭フィルタユニット５０の奥側端部が、上壁２４ｃの後端に達した後、ガイド部２４ｂの下板２４ｆによって後上方へと案内される。このとき、図１４（ｂ）に示すように、脱臭フィルタ５１は、下方に凸となるように湾曲した状態となる。
【０１０３】
図１４（ｄ）に示すように、フレーム５２に形成された係止爪５２ｃの突起が、伸延部１３ｆの上面と上壁２４ｃの上面とで構成される面に形成された窪み１３ｇと係合することで、脱臭フィルタユニット５０がケーシング１０内に装着される。最後に、前面パネル１２を閉じる。このようにして、挿入口１３ｄから挿入された脱臭フィルタ５１は、グリル本体１３の伸延部１３ｆおよびフィルタガイド部材２４によって、挿入口１３ｄに対して後上方に斜めに案内され、その配置領域に配置される。
【０１０４】
脱臭フィルタユニット５０を取り外す際は、まず、装着する際と同様に、前面パネル１２を開いてグリル１１の前面を露出させる。そして、挿入口１３ｄ内に配置されている脱臭フィルタユニット５０の前面に設けられた取手５２ｄを掴んで手前側に引き出すことで、取り外すことができる。
【０１０５】
＜室内機１の動作＞
次に、室内機１の動作について説明する。
ファン２１を駆動させることにより、吸込口１３ａと、前面パネル１２の下端とグリル１１との隙間とから室内の空気がケーシング１０内に吸い込まれる。
【０１０６】
吸込口１３ａから吸い込まれた空気は、まず、防塵フィルタ３１を通過する。このとき、空気に含まれる比較的大きな埃等が除去される。防塵フィルタ３１を通過した空気の一部は、脱臭フィルタ５１を通過する。このとき、空気に含まれる有害成分や臭気成分が除去されて脱臭および除菌される。その後、空気は熱交換器２２を通過して熱交換されてから、ファン２１を通過して吹出口１３ｂから吹き出される。
【０１０７】
図８に示すように、前面パネル１２の下端とグリル１１との隙間のうち、ストリーマ放電部６１の下方の部分、即ち、補助吸込口３から吸い込まれた空気は、第１流路４ａを通って、第２流路４ｂに流入した後、補助防塵フィルタ６４を通過してストリーマ放電部６１（第３流路４ｃ）に流入する。なお、補助防塵フィルタ６４を通過する際に、空気に含まれる比較的大きな埃等が除去される。
【０１０８】
ストリーマ放電部６１内では、放電針８２と対向電極板８５との間でストリーマ放電が生じ、これにより、活性種が生成される。この活性種によって、空気中の有害成分や臭気成分が分解される。
【０１０９】
ストリーマ放電部６１内の空気は、供給口６５ａから活性種放出部６２（第４流路４ｄ）に流入し、活性種放出部６２内で拡散されてから、複数の円形孔６６ａから前面パネル１２の裏面に向かって放出される。
【０１１０】
図４に示すように、複数の円形孔６６ａから放出された空気は、第５流路４ｅを通って、主流路２における防塵フィルタ３１の傾斜部３１ａの上流側に導かれる。そして、この空気は防塵フィルタ３１の傾斜部３１ａと脱臭フィルタ５１とを順に通過した後、熱交換器２２とファン２１を通過して、吹出口１３ｂから吹き出される。なお、上述のように、脱臭フィルタ５１は、防塵フィルタ３１の傾斜部３１ａと対向するように配置されており、脱臭フィルタ５１の厚み方向、即ち、通風孔５１ｃの貫通方向と、脱臭フィルタ５１を通過する空気の流れ方向とはほぼ一致する。したがって、脱臭フィルタ５１における通風抵抗を少なくできる。
【０１１１】
ストリーマ放電ユニット６０から放出された空気が脱臭フィルタ５１を通過する際、空気に含まれる活性種は、プラズマ触媒によって活性化されると共に、脱臭フィルタ５１に吸着された有害成分や臭気成分を分解する。これにより、脱臭フィルタ５１は吸着性能が再生される。また、ストリーマ放電ユニット６０から放出された空気は、第５流路４ｅによって主流路２に導かれているため、主流路２内の空気に含まれる有害成分や臭気成分を活性種で分解することができる。
【０１１２】
＜本実施形態の室内機１の特徴＞
本実施形態の室内機１では、防塵フィルタ３１がケーシング１０内に配置された状態で、防塵フィルタ３１とファン２１との間に位置する所定の配置領域に脱臭フィルタ５１を着脱可能に構成されている。したがって、防塵フィルタ３１をケーシング１０内から取り外すことなく、脱臭フィルタ５１の着脱を行うことができる。よって、脱臭フィルタ５１の着脱作業の手間が軽減されるので、脱臭フィルタ５１のメンテナンスを容易に行うことができる。
【０１１３】
また、本実施形態の室内機１では、ケーシング１０を構成するグリル本体１３に、脱臭フィルタ５１の配置領域に連通する挿入口１３ｄが形成されている。したがって、挿入口１３ｄを介して所定の配置領域への脱臭フィルタ５１の着脱を行うことができる。
【０１１４】
また、本実施形態の室内機１では、防塵フィルタ３１が近接して配置される吸込口１３ａは、グリル本体１３の天井部に設けられている。そして、挿入口１３ｄは、正面視において、ケーシング１０内に配置された防塵フィルタ３１および清掃ユニット４０の下方に設けられている。したがって、防塵フィルタ３１の奥側にある脱臭フィルタ５１の配置領域に対して、室内機１の前面側から脱臭フィルタ５１の着脱を行うことができる。よって、脱臭フィルタ５１の着脱をさらに容易に行うことができる。
【０１１５】
さらに、本実施形態の室内機１では、脱臭フィルタ５１は、ケーシング１０内に挿入された状態で、防塵フィルタ３１の前端部と対向した位置に配置される。したがって、脱臭フィルタ５１を挿入口１３ｄの近傍で防塵フィルタ３１と対向させることができる。脱臭フィルタ５１を挿入口１３ｄから離れた位置で防塵フィルタ３１と対向させる場合には、脱臭フィルタユニット５０が大型化し、主流路２における通風抵抗が大きくなる。本発明では、通風抵抗の増大を抑え、室内機１の性能低下を防ぐことができる。
【０１１６】
加えて、本実施形態の室内機１では、防塵フィルタ３１の前端部は、前方且つ下方に向かって傾斜する傾斜部３１ａとなっている。そして、脱臭フィルタ５１は、防塵フィルタ３１の傾斜部３１ａとファン２１との間に配置される。このような構成では、脱臭フィルタ５１の配置領域は傾斜部３１ａの後方に位置しており、正面視で隠れた状態となっているが、挿入口１３ｄに脱臭フィルタユニット５０を挿入することで、室内機１の手前側から脱臭フィルタ５１を所定の配置領域に容易に配置できる。
【０１１７】
また、本実施形態の室内機１では、脱臭フィルタ５１は、下方に凸となるように湾曲した状態でケーシング１０内に挿入されている。したがって、防塵フィルタ３１の傾斜部３１ａと脱臭フィルタ５１とを確実に対向させることができる。
【０１１８】
さらに、本実施形態の室内機１は、活性種を生成するストリーマ放電部６１を備えている。そして、ストリーマ放電部６１から放出された空気が、脱臭フィルタ５１を通過する。したがって、脱臭フィルタ５１に活性種を含んだ空気を通過させることができる。よって、活性種によって、脱臭フィルタ５１に付着している有害成分や臭気成分を分解できる。
【０１１９】
また、本実施形態の室内機１では、ストリーマ放電部６１は、主流路２から外れた位置に設けられている。そして、ケーシング１０は、ストリーマ放電部６１に供給される空気を吸い込むために吸込口１３ａとは異なる位置に設けられた補助吸込口３を有している。さらに、補助吸込口３から吸い込まれた後でストリーマ放電部６１から放出された空気を、主流路２における防塵フィルタ３１の上流側に導く補助流路４が設けられている。したがって、ストリーマ放電部６１が主流路２に設けられる場合と比べて、ストリーマ放電部６１によって主流路２における通風抵抗が増加するのを防ぐことができる。よって、室内機１の性能の低下を抑制できる。
【０１２０】
加えて、本実施形態の室内機１では、グリル本体１３の伸延部１３ｆとフィルタガイド部材２４とで構成されており、挿入口１３ｄから挿入された脱臭フィルタ５１を案内するフィルタガイド機構を備えている。したがって、脱臭フィルタ５１を所定の配置領域に案内できる。
【０１２１】
また、本実施形態の室内機１では、フィルタガイド機構は、挿入口１３ｄから上方斜め方向に脱臭フィルタ５１を案内する。したがって、脱臭フィルタ５１を防塵フィルタ３１の裏面に近づけて配置できる。よって、補助流路４によって防塵フィルタ３１の上流側に導かれた空気を、防塵フィルタ３１を通過した後、直ちに脱臭フィルタ５１に当てることができる。これにより、活性種の濃度が比較的高い空気を脱臭フィルタ５１に当てることができる。
【０１２２】
また、本実施形態の室内機１では、フィルタガイド機構は、脱臭フィルタ５１が下方に凸となるように案内する。したがって、挿入口１３ｄよりも上方斜め方向に位置する脱臭フィルタ５１の配置領域への脱臭フィルタ５１の挿入方向を、比較的水平方向に近い方向とすることができる。よって、脱臭フィルタ５１の装着を容易にできる。
【０１２３】
加えて、本実施形態の室内機１では、脱臭フィルタ５１は、一方向について変形可能な板状部材である。そして、その変形可能な方向がフィルタガイド機構によって湾曲される方向と一致するように、挿入口１３ｄから挿入される。したがって、脱臭フィルタ５１をフィルタガイド機構によって確実に湾曲させることができる。
【０１２４】
また、本実施形態の室内機１では、脱臭フィルタ５１が、フレーム５２に装着されている。したがって、脱臭フィルタ５１の損傷を防ぐことができる。
【０１２５】
さらに、本実施形態の室内機１では、脱臭フィルタ５１は、空気中の臭気成分や有害成分を吸着できる。したがって、脱臭機能および除菌機能を発揮できる。
【０１２６】
また、本実施形態の室内機１は、防塵フィルタ３１に付着した塵埃を除去する清掃ユニット４０を備えている。したがって、防塵フィルタ３１をケーシング１０から取り外してメンテナンスを行う必要はほとんどない。このような室内機１において、防塵フィルタ３１をケーシング１０から取り外すことなく脱臭フィルタ５１を着脱可能な構成とするのは効果的である。
【０１２７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【０１２８】
例えば、上述の実施形態では、挿入口１３ｄが、正面視において、ケーシング１０内に配置された防塵フィルタ３１および清掃ユニット４０の下方、より詳細には、清掃ユニット４０の下方において清掃ユニット４０に隣接する位置、に設けられている場合について説明したが、挿入口１３ｄは、防塵フィルタ３１の下方に設けられていればよい。即ち、挿入口１３ｄが、清掃ユニット４０に隣接して設けられておらず、挿入口１３ｄと清掃ユニット４０との間に別の部材が配置されていてもよい。また、清掃ユニット４０が設けられていない室内機の場合には、防塵フィルタ３１の下方に防塵フィルタ３１に隣接するように挿入口１３ｄを設けてもよい。
【０１２９】
また、上述の実施形態では、脱臭フィルタ５１が防塵フィルタ３１の前端部に形成された傾斜部３１ａと対向した位置に配置される場合について説明したが、これには限定されない。脱臭フィルタ５１は、防塵フィルタ３１の中央部や後端部と対向する位置に配置されていてもよい。
【０１３０】
また、上述の実施形態では、脱臭フィルタ５１を案内するフィルタガイド機構（伸延部１３ｆ及びフィルタガイド部材２４）を備えている場合について説明したが、フィルタガイド機構はなくてもよい。
【０１３１】
さらに、上述の実施形態では、フィルタガイド機構は、下方に凸となるようにしつつ、挿入口１３ｄから上方斜め方向に向けて脱臭フィルタ５１を案内する場合について説明したが、これには限定されない。即ち、フィルタガイド機構は、挿入口１３ｄから水平方向に脱臭フィルタ５１を案内してもよい。また、挿入口１３ｄから上方斜め方向に向けて直線的に脱臭フィルタ５１を案内してもよい。
【０１３２】
加えて、上述の実施形態では、脱臭フィルタ５１が、複数のライナー板５１ａと複数のコルゲート板５１ｂとが交互に接着されたハニカム構造を有しており、一方向について変形可能な板状部材である場合について説明したが、脱臭フィルタ５１の構造はこれには限定されない。即ち、例えば、不織布製のフィルタを脱臭フィルタとして用いてもよい。
【０１３３】
また、上述の実施形態では、脱臭フィルタ５１がフレーム５２に装着されている場合について説明したが、脱臭フィルタ５１はフレーム５２に装着されておらず、単体で配置されていてもよい。
【０１３４】
また、上述の実施形態では、脱臭フィルタ５１が左右に並んで２つ配置される場合について説明したが、配置される脱臭フィルタ５１の個数は２つに限定されるものではなく、１つでもよいし、３つ以上でもよい。
【０１３５】
また、上述の実施形態では、吸込口１３ａが、ケーシング１０におけるグリル本体１３の天井部に設けられている場合について説明したが、吸込口１３ａは、ケーシング１０の上面を含む部分に形成されていればよい。したがって、例えば、ケーシング１０の上面および前面に吸込口が形成されていてもよい。
【０１３６】
さらに、上述の実施形態では、防塵フィルタ３１に加えて、空気中の臭気成分や有害成分を吸着する脱臭フィルタ５１を備えている場合について説明したが、これには限定されない。即ち、本発明は、脱臭フィルタ５１を備えている場合に限らず、防塵フィルタ３１に加えて、さらにフィルタを備えている室内機に対して適用できる。
【０１３７】
また、上述の実施形態では、清掃ユニット４０を備えている場合について説明したが、清掃ユニット４０はなくてもよい。
【０１３８】
加えて、上述の実施形態では、ストリーマ放電によって活性種を生成するストリーマ放電部６１を備えている場合についついて説明したが、これには限定されない。即ち、ストリーマ放電部６１に代えて、グロー放電やバリア放電で活性種を生成する装置を備えていてもよい。また、光触媒に紫外線を照射することで活性種を生成する装置を備えていてもよい。
【０１３９】
さらに、上述の実施形態では、ストリーマ放電部６１が、主流路２から外れた位置に設けられている場合について説明したが、これには限定されない。例えば、ストリーマ放電部６１は、主流路２における脱臭フィルタ５１の上流側に配置されていてもよい。
【産業上の利用可能性】
【０１４０】
本発明を利用すれば、メンテナンスを容易にできる。
【符号の説明】
【０１４１】
１  室内機
１０  ケーシング
２  主流路
３  補助吸込口
４  補助流路
１３ａ  吸込口
１３ｂ  吹出口
１３ｄ  挿入口
１３ｆ  伸延部（フィルタガイド機構）
２１  ファン
２４  フィルタガイド部材（フィルタガイド機構）
３１  防塵フィルタ（第１フィルタ）
３１ａ  傾斜部
４０  清掃ユニット（フィルタ清掃機構）
５１  脱臭フィルタ（第２フィルタ）
５２  フレーム（枠体）
６１  ストリーマ放電部（活性種生成装置）
【図９】
2012052776.tif 000003
【図１０】
2012052776.tif 000004
【図１１】
2012052776.tif 000005
【図１】
2012052776.tif 000006
【図２】
2012052776.tif 000007
【図３】
2012052776.tif 000008
【図４】
2012052776.tif 000009
【図５】
2012052776.tif 000010
【図６】
2012052776.tif 000011
【図７】
2012052776.tif 000012
【図８】
2012052776.tif 000013
【図１２】
2012052776.tif 000014
【図１３】
2012052776.tif 000015
【図１４】
2012052776.tif 000016
【図１５】
2012052776.tif 000017